(57)【要約】      （修正有）【課題】ドアの取付け枠に取付けてドアを閉じた際のストッパーとなるモヘヤを備えた戸当り部材を提供する。【解決手段】戸当り部材の側部には開口を有す嵌合溝５を形成し、嵌合溝５には軟質樹脂部を設け、モヘヤ８を植毛した基板９が嵌合溝５に嵌った際に軟質樹脂部に圧接して抜け落ちることを防止するようにしている。【選択図】図２
0003195638.tif 000002
【実用新案登録請求の範囲】
【請求項１】
ドアの取付け枠に取付けてドアを閉じた際のストッパーとなる戸当り部材において、該戸当り部材の側部には開口を有す嵌合溝を形成し、該嵌合溝には軟質樹脂部を設け、モヘヤを植毛した基板が嵌合溝に嵌った際に軟質樹脂部に圧接して抜け落ちることを防止するようにしたことを特徴とする戸当り部材。
【請求項２】
上記側部にＬ形部片を対を成して設けて嵌合溝を形成し、両Ｌ形部片の先端に軟質樹脂部を設け、嵌合溝底に凸片を設けた請求項１記載の戸当り部材。
【請求項３】
上記嵌合溝の底に軟質樹脂板を形成した請求項１記載の戸当り部材。
【請求項４】
上記嵌合溝の底に軟質樹脂製の凸片を２か所に設けた請求項１記載の戸当り部材。
【請求項５】
上記嵌合溝の底に軟質樹脂製の湾曲片を設けた請求項１記載の戸当り部材。
【考案の詳細な説明】
【技術分野】
【０００１】
本考案はモヘアが抜け落ちることなく安定して取付けられた戸当たり部材に関するものである。
【背景技術】
【０００２】
ドアの取付け枠には戸当たりが設けられていて、ドアを閉じた場合に正しく位置決めがなされるようになっている。図６の（ａ）はドア取付け枠（イ）の正面図、同図（ｂ）は（ａ）におけるＡ−Ａ断面図を表しているが、該取付け枠（イ）の内面（ハ）には戸当たり（ロ）が設けられ、戸当たり（ロ）は内面（ハ）から突出している。従って、ドアを閉じた場合、該ドアはこの戸当たり（ロ）に当たって正しく位置決めがなされる。
【０００３】
図７は従来の戸当たり（ロ）を示した場合であり、戸当たり（ロ）には２本の脚（ニ）、（ニ）が設けられていて、この脚（ニ）の両面は凹凸化して取付け枠（イ）の内面（ハ）に形成している溝（ホ）、（ホ）に嵌着して取り付けされる。そして、戸当たり（ロ）の当り面にはドアが当った際の衝撃を緩和する為に緩衝材（ヘ）と成る軟質樹脂が取付けられている。
【０００４】
軟質樹脂製の緩衝材（ヘ）は戸当たり（ロ）と一体成形されるが、軟質樹脂製の緩衝材（ヘ）に代わってモヘアを取付ける場合もある。
特開平７−３１７４２５号に係る「開口枠の構造」は、モヘアを用いた緩衝材であり、開閉時の衝撃音の緩和および気密性の向上を図っている。
すなわち、開口枠に形成された戸当たりの開き戸が当接する面に、モヘアを取付けている。開口枠は、内周面に被係止部が形成され、戸当たりは被係止部に係止する係止部が形成され、かつ対向する一対の係止溝が開き戸が当接する面に長手方向に延びて形成され、モヘアは両側縁が一対の係止溝に係止されている。
【０００５】
ところで、モヘア（ト）は図８に示すように細長い帯状基板（チ）に植毛したもので、帯状基板（チ）を戸当たりに形成した溝に嵌入して取付けられる。しかし、上記帯状基板（チ）は湾曲するが硬質樹脂製であり、溝に嵌入しても抜け落ちてしまうといった問題が発生する。すなわち、戸当たりの溝に嵌ったモヘア（ト）は、戸当たりをドア取付け枠（イ）に取付ける為に起立させるならば、自重で抜け落ちてしまい、取付け作業に支障を来す。
【特許文献１】特開平７−３１７４２５号に係る「開口枠の構造」
【考案の開示】
【考案が解決しようとする課題】
【０００６】
このように、従来のモヘアを取付けた戸当たりには上記のごとき問題がある。本考案が解決しようとする課題はこの問題点であって、モヘアが溝から抜け落ちることがないように取付けられる戸当たりを提供する。
【課題を解決するための手段】
【０００７】
本考案に係る戸当たりはドアが閉じた際の衝撃を緩和する為にモヘアを備えたもので、該戸当たりはドア取付け枠に取付けられ、基本的な形態は従来と共通している。そこで、戸当たりには脚を有してドア取付け枠に設けた溝に嵌入して取付けられ、該戸当たりにはモヘアを植毛している基板が嵌る嵌合溝を長手方向に連続して形成している。
ところで、本考案では嵌合溝に嵌った基板が抜け落ちないように、該嵌合溝には基板に接する軟質樹脂部を設けている。
【０００８】
すなわち、嵌合溝に嵌った基板が軟質樹脂部に接することで、滑り摩擦は大きく成り、該基板は嵌合溝から抜け落ちることはない。ここで、軟質樹脂部が嵌合溝に設けられる箇所は特に限定はせず、該嵌合溝に嵌った基板に接することが出来ればよい。そして、軟質樹脂部の具体的な材質並びに形態は問わない。
【考案の効果】
【０００９】
本考案に係る戸当たりはモヘアを備えており、その為にドアを閉めた際の衝撃はモヘアに当たって吸収され、またドア取付け枠の建付けが多少悪くても、ドアが閉じた際に戸当たりとの間に隙間が生じることはない。そして、モヘアを植毛している基板は戸当たりに設けた嵌合溝に嵌入して取付けられるが、該嵌合溝には摩擦係数の高い軟質樹脂部が設けられていることで、該基板は軟質樹脂部に接して滑って抜け落ちることはない。
【００１０】
従来では、嵌合溝に嵌った基板は抜け落ちないように接着剤にて固着している場合もあるが、このような接着作業をすることもなく、モヘアは安定して戸当たりに取付けられ、モヘアを備えた戸当たりをドア取付け枠に取付ける作業はし易くなる。
【図面の簡単な説明】
【００１１】
【図１】本考案に係る戸当り部材の実施例を示す断面図。
【図２】戸当り部材に設けた嵌合溝にモヘヤを取付けた具体例。
【図３】本考案に係る戸当り部材の他の実施例を示す断面図。
【図４】本考案に係る戸当り部材の別の実施例を示す断面図。
【図５】本考案に係る戸当り部材の更なる別の実施例を示す断面図。
【図６】（ａ）は戸当りを取付けているドア取付け枠の正面図、（ｂ）は（ａ）のＡ−Ａ断面拡大図。
【図７】軟質樹脂の緩衝材を備えた戸当りの断面図。
【図８】基板に植毛したモヘヤの具体例。
【考案を実施するための形態】
【００１２】
図１は本考案に係る戸当たりの断面を示す実施例であり、該戸当たりは一定断面をもって長手方向に延びる長尺材である。同図に示す戸当たりの基本的な形態は従来と共通し、本体１には２本の脚２，２を有し、本体１の側板３から側方へＬ形部片４ａ，４ｂを延ばし、対を成して設けたＬ形部片４ａ，４ｂにて嵌合溝５を形成している。そして、両Ｌ形部片４ａ，４ｂの先端間には開口１５を有している。
【００１３】
ところで、上記Ｌ形部片４ａ，４ｂの先端は側板側へ湾曲し、この先端には軟質樹脂部６ａ，６ｂが設けられ、また嵌合溝５の底には小さい凸片７を形成している。そこで、前記図８に示すモヘアを植毛している基板は該嵌合溝５に嵌って取付けられる。
図２はモヘヤ８を戸当りに取付けた場合の断面図を示している。モヘヤ８は一定幅の帯状基板９に植毛されていて、該基板９は嵌合溝５に嵌って取付けられている。そして、基板９に植毛されて延びているモヘヤ８は両Ｌ形部片４ａ，４ｂの間に形成している開口１５から側方へはみ出している。
【００１４】
ところで、嵌合溝５に嵌った基板９は両Ｌ形部片４ａ，４ｂの先端に設けた軟質樹脂部６ａ，６ｂと嵌合溝底に設けた凸片７の３点に当たって支持され、その為に基板９は同図に示すように湾曲している。従って、基板９の表面側両端部は上記軟質樹脂部６ａ，６ｂには圧接し、その為に嵌合溝５に嵌った基板９は位置ズレすることなく定位置に留まる。ここで、上記軟質樹脂部６ａ，６ｂの具体的な材質は限定しないが、圧接することで大きな摩擦を生じるものであればよい。例えば、シリコン樹脂を用いることが出来る。
【００１５】
図３は本考案に係る戸当りを示す他の実施例である。この戸当りの場合も本体１の側板３から側方へはみ出して形成しているＬ形部片１０ａ，１０ｂによって嵌合溝１１を設けている。そして、嵌合溝１１の底には軟質樹脂板１２を形成している。この軟質樹脂板１２は本体１の側板３と同時成形することが出来、別部材としての軟質樹脂板１２を嵌合溝底に貼着する必要はない。
そこで、この嵌合溝１１にモヘヤ８を有す基板９を挿入して嵌めるならば、該基板９の裏面は上記軟質樹脂板１２に当たって独りで嵌合溝１１から抜け落ちることはない。
【００１６】
図４は本考案に係る戸当りを示す別の実施例である。基本形態は前記図１及び図３に示した戸当りと同じであり、この戸当りではＬ形部片１０ａ，１０ｂにて形成した嵌合溝１３の底に２本の小さい凸片１４，１４を所定の間隔を置いて設けている。そして、この凸片１４，１４は軟質樹脂で構成し、嵌合溝１３に沿って長手方向に延びている。モヘヤ８の基板９が嵌合溝１３に嵌るならば該凸片１４，１４は基板９に押圧されて潰される。
【００１７】
したがって、嵌合溝１３に嵌った基板９は２本の凸片１４，１４を押し潰すことで凸片１４，１４と圧接し、その結果、発生する大きな摩擦によって基板９の位置ズレは防止され、嵌合溝１３に嵌って取付けられたモヘヤ８が戸当りから抜け落ちることはない。このように、モヘヤ８が嵌合溝１３に安定して取付けられることで、戸当りをドア取付け枠に設けた溝に嵌めて装着する作業は行い易くなる。
【００１８】
図５は本考案に係る戸当りを示す更なる別の実施例である。基本形態は前記図１〜図４に示した戸当りと同じであり、この戸当りではＬ形部片１０ａ，１０ｂにて形成した嵌合溝１６の底に軟質樹脂製の湾曲片１７を設けている。該湾曲片１７は嵌合溝１６に沿って長手方向に延びており、嵌合溝１６にモヘア８の基板９が嵌るならば、湾曲片１６は湾曲して押し潰される。従って、基板９は湾曲片１７との間に大きな摩擦が発生する。
【００１９】
ところで、本考案の実施例である図１、図３、図４、図５に示す戸当りは、互いに分離した２本の脚２，２を有しているが、２本の脚２，２を互いに繋いで構成した脚とすることもあり、本考案の戸当りはモヘヤ８の取付け構造に特徴を有すものであり、本体１及びその脚２の形態に関しては自由である。
【符号の説明】
【００２０】
１   本体
２   脚
３   側板
４   Ｌ形部片
５   嵌合溝
６   軟質樹脂部
７   凸片
８   モヘヤ
９   基板
10   Ｌ形部片
11   嵌合溝
12   軟質樹脂板
13   嵌合溝
14   凸片
15   開口
16   嵌合溝
17   湾曲片
【図１】
0003195638.tif 000003
【図２】
0003195638.tif 000004
【図３】
0003195638.tif 000005
【図４】
0003195638.tif 000006
【図５】
0003195638.tif 000007
【図６】
0003195638.tif 000008
【図７】
0003195638.tif 000009
【図８】
0003195638.tif 000010